(57)【要約】【課題】布製品の図柄を何ら隠すことなく、しかも梱包した状態のまま布製品の図柄を十分鑑賞でき、それによって布製品の商品としての付加価値を向上させる技術を提供しようとする。【解決手段】図柄２０が入った布製品２が、折り畳まれた状態で、パッケージ箱体１内に入れられてなる布製品梱包体である。前記布製品２は、その図柄２０が表面となるように折り畳み自在である一方、前記パッケージ箱体１は、扁平状の直方体よりなり、前記折り畳み状態の布製品２が入れられた際、いずれかの扁平面中央に、前記図柄２０が露見するような窓１０が形成される。そして、その窓１０の枠部１１に、額縁を想起させる複数層からなる模様が施される。【選択図】図１
0003122947.tif 000002
【実用新案登録請求の範囲】
【請求項１】
図柄が入った布製品が、折り畳まれた状態で、パッケージ箱体内に入れられてなる布製品梱包体であって、
前記布製品は、その図柄が表面となるように折り畳み自在である一方、
前記パッケージ箱体は、扁平状の直方体よりなり、前記折り畳み状態の布製品が入れられた際、一方の扁平面中央に、前記図柄が露見するような窓が形成されるとともに、その窓枠部に、額縁を想起させる複数層からなる模様が施された、ことを特徴とする布製品梱包体。
【請求項２】
パッケージ箱体の他方の扁平面に、スタンド用舌状切り込みを入れたことを特徴とする請求項１の布製品梱包体。
【考案の詳細な説明】
【技術分野】
【０００１】
この考案は、布製品とそのパッケージ箱体からなる梱包体に関する。
【背景技術】
【０００２】
布製品には、美観の優れた図柄が施されているものが多数ある。例えば、著名な絵画などをプリントしているタオルやＴシャツなどである。物によっては、そのまま壁等に飾っても、十分鑑賞できるものもある。
【特許文献１】実公平７−３８１２４号（第５図、第６図）
【考案の開示】
【考案が解決しようとする課題】
【０００３】
しかし、それら布製品も商品として販売される際は、パッケージ箱体に梱包されるため、箱から取り出すまでは、そこに施されている図柄を楽しむことはできなかった。
【０００４】
もっとも、商品の中身が見えるように、パッケージ箱体に窓を設ける構造も提案されているが（実公平７−３８１２４号）、それは単に商品の外見がわかるだけであって、その包装のまま鑑賞できるというものではない。
【０００５】
この考案は、以上のような問題に鑑み創案されたもので、布製品の図柄を何ら隠すことなく、しかも梱包した状態のまま布製品の図柄を十分鑑賞でき、それによって布製品の商品としての付加価値を向上させる技術を提供しようとするものである。
【課題を解決するための手段】
【０００６】
このため、この考案に係る布製品梱包体は、
図柄が入った布製品が、折り畳まれた状態で、パッケージ箱体内に入れられてなる布製品梱包体であって、
前記布製品は、その図柄が表面となるように折り畳み自在である一方、
前記パッケージ箱体は、扁平状の直方体よりなり、前記折り畳み状態の布製品が入れられた際、いずれかの扁平面中央に、前記図柄が露見するような窓が形成されるとともに、その窓枠部に、額縁を想起させる複数層からなる模様が施された、ことを特徴とする。
【０００７】
本考案の構成において、扁平状の直方体とは、いわゆる平たい箱の形状を指す。また、その扁平面とは、直方体を形成する六面のうち、もっとも広い面を指す。六面体のうち扁平面は相対向する二面存在するが、そのいずれか一方に窓が形成されれば良い。他の面は、スタンド用舌状切り込みを入れておいても良い。その態様の場合、切り込みに沿って舌片を外方に張り出させれば、それがスタンド用脚となり、本考案が簡易スタンドとしても機能する。
【０００８】
前記窓枠部とは、窓が形成される扁平面のうち窓の枠を形成する窓周辺の面をいう。また、その窓枠部に施される複数層からなる模様とは、その模様から、絵画や賞状等を飾るための、いわゆる額縁を想起させるものであれば、平面的であると、立体的であるとを問わない。いわゆる額縁は多種多様であるが、一見してそれと理解できるものは、通常、窓枠部に複数層が形成されており、このため層が何層かになっていることを要すものとした。各層は、それぞれ相互に模様や色が異なる必要はないが、少なくとも枠線が明示され、視覚的に層が複数形成されていればよい（例えば、金枠が中間部に施されているだけでも良い）。各層の一例としては、窓枠部に沿って、唐草模様や葦模様が連続する態様や所定の木目調や金属色で統一されているもの等が挙げられる。
【０００９】
したがって、布製品が梱包された状態では、パッケージ箱体の窓から布製品の図柄が露見することになり、その図柄の周縁は額縁模様を想起させるものとなっているので、その梱包体は、額縁に飾られた絵画のように見えることになり、十分鑑賞できるものとなる。
【００１０】
ここで、布製品の図柄の大きさが、パッケージ箱体の窓とほぼ一致していれば、図柄の特徴がすべて窓から露見することになり、梱包体がますます鑑賞に供しうる態様となる。
【考案の効果】
【００１１】
以上のように、本考案に係る梱包体は、梱包された状態でも十分鑑賞できる態様となっており、その発想の斬新性から布製品の商品価値が各段に向上するものとなる。
【００１２】
もちろん、パッケージ箱から取り出せば、布製品本来の使用も可能であり、その際、梱包状態時を思い出しながら図柄を比較する楽しみも生じ、その点からも商品の付加価値が向上するものとなる。
【考案を実施するための最良の形態】
【００１３】
本発明の具体的実施形態例を図面に基づき説明する。なお、以下の形態例はあくまで一例であり、本考案が本形態例に限定されるものでないことは当然である。
【００１４】
図１はＴシャツとそのパッケージ箱とからなる梱包体の一例を示している。同図(a)は梱包状態、(b)は梱包されるＴシャツを示している。
【００１５】
パッケージ箱1は、扁平状の直方体からなる紙製箱体であり、それは１枚の厚紙に切り込みを入れたシートを折り込んで、立体的に組み立てたものである。組立前の畳んだ状態（両側方の蓋面を開け、両扁平面を重ねた状態）では、郵政公社や民間宅配会社の封書状小包（例えば郵政公社のものでは商標名「エックスパック５００」がある）の封書にそっくり入る大きさとなっている。
【００１６】
パッケージ箱1の正面の扁平面には窓10が形成されており、該窓10は、後述するＴシャツ2の表面にプリントアウトされた図柄20とほぼ同一サイズ（厳密には図柄20よりやや小さめ）となっている。この窓10には、保護のための透明シート等を貼着しても良い。また窓10の枠部11には、複数層からなる模様が描かれており、全体として額縁を想起させる模様となっている（図面では立体的に見えるが、すべて描写である）。本形態例では、枠線と植物をあしらった模様とによって、額縁を想起させる複数層が形成されているが、これは例えば、図３に示すように、単に枠線だけで複数層の模様となるようにしても良い（これも立体的に見えるが、平面に描写したもの）。箱１の両側面12は開閉自在な蓋になっており、そこを開けて折り畳んだＴシャツを挿入できるものとなっている。
【００１７】
また、裏面の扁平面には、図２に示すように、舌状切り込み15が形成されている。この切り込み15を外方に引っ張りだせば、その舌片16がスタンド用脚となる。さらに、パッケージ箱1の上方縁と横縁には引掛用舌片14が取り付けられる。この舌片14はいずれか一方の側だけでも良いが、本形態例では両方取り付けることで、図柄の向きが横向きのものでも縦向きのものでもいずれも対応可能となっている。
【００１８】
Ｔシャツ2は、表面の胸元に、前記窓10と同一サイズの図柄（絵画）20がプリントアウトされている。Ｔシャツ2は通常の綿製品であり、この図柄20が表となるように畳むことができ、その畳んだ状態で前記パッケージ箱1内に挿入する。
【００１９】
このＴシャツ2を、その胸元のプリント図柄20が表面となるように折り畳んで、前記パッケージ箱1に挿入すると、図１(a)に示すように、プリント図柄20がパッケージ箱1の窓10から露見することになる。窓10の枠部11は、額縁を想起させる模様となっており、露見する図柄20が絵画であることから、図示のように、梱包体は絵画を額縁に入れたような感じとなる。すなわち、本形態例の梱包体は、単にＴシャツ2を包装するだけでなく、その梱包状態のまま、例えば壁等に掛け、鑑賞用に供することができる。もちろん、裏側扁平面の切り込み15から舌片16を外方に引っ張り出し、それをスタンド用脚として機能させれば、卓上等に置いた状態でも鑑賞可能となる。
【００２０】
また、本形態例に係るパッケージ箱1は、上述のように、組み立て前の折り畳んだ状態が封筒状小包の封書に入る大きさなので、Ｔシャツといっしょにその封書に入れて低廉料金で送付することができる。このことは、観光地における売店等で図柄入りのＴシャツとこのパッケージ箱1とを一緒に販売すれば、購入者は、それをまとめて封筒状小包で自宅等に送ることができるので、荷物が増える心配をせずに購入できるものとなる。すなわち、本形態例では、その大きさを規定することでも購買意欲を増すようにする工夫が施されており、その点でも商品価値が高まるものとなっている。
【００２１】
なお、本考案が以上の形態例に限定されないことは上述のとおりであり、箱の形状（多少厚みがある形状等）、素材（例えば、プラスチックや木製等）が変更されていても、また布製品がＴシャツ以外のシャツ、上着、タオル、ハンカチ等であっても（ただし、挿入する布製品の大きさに合わせて前記パッケージ箱の大きさも変更される）、図柄が絵画以外のアニメ、文字、写真等であっても、請求の範囲に記載される構成を満たす限り、当然に本考案の技術的範囲に包含されるものである。
【産業上の利用可能性】
【００２２】
この考案は、布製品の製造販売分野及び布製品の梱包体製造販売分野で利用可能である。
【図面の簡単な説明】
【００２３】
【図１】本考案に係る一実施形態例を示し、(a)は梱包体全体の説明図、(b)はパッケージ箱に挿入されるＴシャツの説明図である。
【図２】パッケージ箱体の裏面（他の扁平面）を示す説明図である。
【図３】額縁を想起させる模様の他の例を示した説明図である。
【符号の説明】
【００２４】
1           パッケージ箱
2           Ｔシャツ
10          窓
15          切り込み線
16          舌片（スタンド脚用）
20          図柄
【図１】
0003122947.tif 000003
【図２】
0003122947.tif 000004
【図３】
0003122947.tif 000005